(57)【要約】【課題】ダイカスト製品への気体３０の巻き込みを防止し、ダイカスト製品の品質を向上させる鋳造装置１１を提供する。【解決手段】スリーブ２１と湯道２０との間の上部にゲート可変部材２７を配置する。スリーブ２１に溶湯２２を注湯し、このスリーブ２１内の溶湯２２をプランジャチップ２４で湯道２０へ向けて押し出す。押し出す溶湯２２は、ゲート可変部材２７の下側、つまりスリーブ２１内での溶湯２２の溶湯面２２ａの高さより低い位置から、湯道２０を通じてキャビティ１９に押し出す。スリーブ２１内の気体３０は、ゲート可変部材２７でスリーブ２１内に留めてキャビティ１９へ流入するのを抑制する。ダイカスト製品への気体３０の巻き込みを防止し、ダイカスト製品の品質を向上させる。【選択図】        図１
2004148349.tif 000002
【特許請求の範囲】
【請求項１】
スリーブに溶湯を注湯し、
このスリーブ内の溶湯を、スリーブ内での溶湯の溶湯面高さより低い位置に連通する湯道を通じてキャビティに押し出す
ことを特徴とする鋳造方法。
【請求項２】
スリーブと湯道との間の上部に進退可能に配置されたゲート可変部材によってスリーブ内での溶湯の溶湯面高さより低い位置に湯道を連通させる
ことを特徴とする請求項１記載の鋳造方法。
【請求項３】
スリーブを設けた固定型とスリーブに対向する分流子を突設した可動型との間でかつ分流子の周囲に環状の湯道を形成し、
スリーブ内の溶湯を、スリーブ内での溶湯の溶湯面高さより低い分流子の下部側から環状の湯道を通じてキャビティに押し出す
ことを特徴とする請求項１記載の鋳造方法。
【請求項４】
キャビティおよびこのキャビティに連通する湯道を有する金型と、
この金型の湯道に連通し、溶湯が注湯されるスリーブと、
このスリーブに注湯された溶湯を湯道へ向けて押し出す押出手段と、
前記スリーブと湯道とをスリーブ内の溶湯の溶湯面高さより低い位置で連通させる規制手段と
を具備していることを特徴とする鋳造装置。
【請求項５】
規制手段は、スリーブと湯道との間の上部に進退可能に配置されこれらスリーブと湯道とをスリーブ内の溶湯の溶湯面高さより低い位置で連通させるゲート可変部材を備える
ことを特徴とする請求項４記載の鋳造装置。
【請求項６】
金型は、スリーブが設けられた固定型およびこの固定型に対して開閉する可動型を有し、
規制手段は、前記可動型からスリーブに対向して突設された分流子を有し、
湯道は、前記分流子の周囲に環状に形成され、スリーブ内での溶湯の溶湯面高さより低い分流子の下部側を通じてスリーブに連通されるとともに分流子の上部側を通じてキャビティに連通される
ことを特徴とする請求項４記載の鋳造装置。
【発明の詳細な説明】
【０００１】
【発明の属する技術分野】
本発明は、スリーブに注湯した溶湯をキャビティに押し出して鋳造する鋳造方法および鋳造装置に関する。
【０００２】
【従来の技術】
一般に、ダイカストマシンでは、固定型と可動型との間にキャビティおよびこのキャビティに連通する湯道を形成し、固定型に対して水平に設けた円筒状のスリーブに例えばアルミニウムを溶融した溶湯を注湯し、このスリーブ内のプランジャチップを移動させてスリーブ内の溶湯を湯道へ押し出すとともに湯道を通じてキャビティに押し出し、溶湯をキャビティに充填させて鋳造品つまりダイカスト製品を成形している。湯道は、スリーブの上部に連通されている（例えば、特許文献１参照）。
【０００３】
このようなダイカストマシンによる鋳造方法では、スリーブ内の溶湯を湯道からキャビティに押し出す際、スリーブ内には、空気が残ったり、プランジャチップの摺動を許容するためにスリーブ内に塗布される潤滑剤が溶湯との接触で蒸発あるいは燃焼したガスが発生するため、これら空気やガスなどの気体が溶湯に混じってスリーブから湯道を通じてキャビティに流入し、ダイカスト製品の内部に気体が巻き込まれ、品質が低下する問題がある。
【０００４】
そこで、例えば、スリーブと湯道との間の上部にガス抜き空間を形成し、スリーブ内の気体をキャビティに先に逃がした後に、スリーブ内の溶湯をキャビティに押し出すようにして、キャビティに押し出す溶湯への気体の巻き込みを少なくしている（例えば、特許文献２参照）。
【０００５】
【特許文献１】
特開２０００−１７６６２４号公報（第３頁、図３）
【０００６】
【特許文献２】
特開２００２−３５９１６号公報（第３頁、図６および図９）
【０００７】
【発明が解決しようとする課題】
しかしながら、キャビティに押し出す溶湯への気体の巻き込みを防止するために、スリーブと湯道との間の上部にガス抜き空間を形成し、スリーブ内の気体をキャビティに先に逃がした後に、スリーブ内の溶湯をキャビティに押し出すようにしても、キャビティに押し出す溶湯への気体の巻き込みを十分に防止できない問題がある。
【０００８】
すなわち、スリーブ内の溶湯をプランジャチップで湯道へ向けて押し出すときの初期段階や、溶湯をスリーブに注湯するときの初期段階で、溶湯が湯道の入口部に達してその湯道を塞ぐことがある。このように初期段階に溶湯で湯道の入口部を塞いだ場合、スリーブ内に空気やガスなどの気体が閉じ込められるので、気体が溶湯に混じってスリーブから湯道を通じてキャビティに送られ、ダイカスト製品の内部に気体が巻き込まれ、品質が低下する問題がある。
【０００９】
本発明は、このような点に鑑みなされたもので、鋳造品への気体の巻き込みを防止し、鋳造品の品質を向上させることができる鋳造方法および鋳造装置を提供することを目的とする。
【００１０】
【課題を解決するための手段】
請求項１記載の鋳造方法は、スリーブに溶湯を注湯し、このスリーブ内の溶湯を、スリーブ内での溶湯の溶湯面高さより低い位置に連通する湯道を通じてキャビティに押し出すものであり、スリーブ内の気体をスリーブ内に留めてキャビティへ流入するのを抑制し、鋳造品への気体の巻き込みを防止し、鋳造品の品質を向上させる。
【００１１】
請求項２記載の鋳造方法は、請求項１記載の鋳造方法において、スリーブと湯道との間の上部に進退可能に配置されたゲート可変部材によってスリーブ内での溶湯の溶湯面高さより低い位置に湯道を連通させるものであり、気体をスリーブ内に留めてキャビティへ流入するのを抑制可能となるとともに、鋳造品の取り出しが可能となる。
【００１２】
請求項３記載の鋳造方法は、請求項１記載の鋳造方法において、スリーブを設けた固定型とスリーブに対向する分流子を突設した可動型との間でかつ分流子の周囲に環状の湯道を形成し、スリーブ内の溶湯を、スリーブ内での溶湯の溶湯面高さより低い分流子の下部側から環状の湯道を通じてキャビティに押し出すものであり、スリーブからキャビティへの溶湯の押出時間を短縮して溶湯の温度低下を抑制するとともに、溶湯で分流子を周囲から加熱して溶湯の温度低下を抑制し、さらに、分流子を退避移動させることなく、可動型を型開きすることで分流子を鋳造品から外し、鋳造品を取り出せる。
【００１３】
請求項４記載の鋳造装置は、キャビティおよびこのキャビティに連通する湯道を有する金型と、この金型の湯道に連通し、溶湯が注湯されるスリーブと、このスリーブに注湯された溶湯を湯道へ向けて押し出す押出手段と、前記スリーブと湯道とをスリーブ内の溶湯の溶湯面高さより低い位置で連通させる規制手段とを具備しているものである。そして、スリーブに溶湯を注湯し、このスリーブ内の溶湯を、スリーブ内での溶湯の溶湯面高さより低い位置に連通する湯道を通じてキャビティに押し出すことにより、スリーブ内の気体をスリーブ内に留めてキャビティへ流入するのを抑制し、鋳造品への気体の巻き込みを防止し、鋳造品の品質を向上させる。
【００１４】
請求項５記載の鋳造装置は、請求項４記載の鋳造装置において、規制手段は、スリーブと湯道との間の上部に進退可能に配置されこれらスリーブと湯道とをスリーブ内の溶湯の溶湯面高さより低い位置で連通させるゲート可変部材を備えるものである。そして、スリーブと湯道との間の上部に対して進退可能に配置されたゲート可変部材によってスリーブ内での溶湯の溶湯面高さより低い位置に湯道を連通させることにより、気体をスリーブ内に留めてキャビティへ流入するのを抑制可能となるとともに、鋳造品の取り出しが可能となる。
【００１５】
請求項６記載の鋳造装置は、請求項４記載の鋳造装置において、金型は、スリーブが設けられた固定型およびこの固定型に対して開閉する可動型を有し、規制手段は、前記可動型からスリーブに対向して突設された分流子を有し、湯道は、前記分流子の周囲に環状に形成され、スリーブ内での溶湯の溶湯面高さより低い分流子の下部側を通じてスリーブに連通されるとともに分流子の上部側を通じてキャビティに連通されるものである。そして、スリーブを設けた固定型とスリーブに対向する分流子を突設した可動型との間で分流子の周囲に環状の湯道を形成し、スリーブ内の溶湯を、スリーブ内での溶湯の溶湯面高さより低い分流子の下部側から環状の湯道を通じてキャビティに押し出すことにより、スリーブからキャビティへの溶湯の押出時間を短縮して溶湯の温度低下を抑制するとともに、溶湯で分流子を周囲から加熱して溶湯の温度低下を抑制し、さらに、分流子を退避移動させることなく、可動型を型開きすることで分流子を鋳造品から外し、鋳造品を取り出せる。
【００１６】
【発明の実施の形態】
以下、本発明の一実施の形態を図面を参照して説明する。
【００１７】
まず、第１の実施の形態を図１ないし図５を参照して説明する。
【００１８】
図１ないし図４に示すように、鋳造装置１１は、鋳造品としてのダイカスト製品をダイカスト鋳造するダイカスト鋳造装置であって、固定型１２とこの固定型１２に対して開閉される可動型１３とを有する金型としてのダイカスト金型１４を備え、これら固定型１２および可動型１３がダイカストマインの固定プレート１５および可動プレート１６にそれぞれ取り付けられている。
【００１９】
金型１４の固定型１２と可動型１３との互いに型合わせされる型面１７，１８には、ダイカスト製品の製品形状に対応したキャビティ１９、このキャビティ１９の下部側に連通された湯道２０、およびキャビティ１９の上部側に接続された図示しないガス抜き孔などが形成されている。
【００２０】
固定型１２には、キャビティ１９より下側位置に、筒状のスリーブ２１が水平に配置され、このスリーブ２１の一端が固定プレート１５を通じて固定型１２の型面１７に開口形成されているとともに湯道２０に連通可能としている。このスリーブ２１の他端近傍の上面には例えばアルミニウムなどの金属を溶融させた溶湯２２が注湯される注湯口２３が形成されている。スリーブ２１内には、溶湯２２を湯道２０へ向けて押し出す押出手段としてのプランジャチップ２４がスリーブ２１の軸方向に摺動可能に配置されている。このプランジャチップ２４は、図示しない駆動手段によって、スリーブ２１の他端側に移動して注湯口２３への溶湯２２の注湯を許容する注湯待機位置と、溶湯２２を湯道２０へ押し出す押出位置との間で移動する。
【００２１】
可動型１３にはスリーブ２１に対向してスリーブ２１から押し出される溶湯２２を上方の湯道２０へ向けて方向変換させる分流子２５が配置されている。
【００２２】
固定型１２の型面１７には、スリーブ２１と湯道２０との間の上部に位置してこれらスリーブ２１と湯道２０とをプランジャチップ２４で押し出す溶湯２２の溶湯面２２ａの高さより低い位置で連通させる規制手段２６としてのゲート可変部材２７が上下動可能に配置されている。このゲート可変部材２７は、図示しないゲート可変部材駆動手段によって、ゲート可変部材２７の下部がスリーブ２１の上部より下方へ突出する下降位置すなわちスリーブ２１と湯道２０とをプランジャチップ２４で押し出す溶湯２２の溶湯面２２ａの高さより低い位置で連通させる下降位置と、ゲート可変部材２７の下部がスリーブ２１の上部より上方へ退避する退避位置との間で移動する。ゲート可変部材２７の下部にはスリーブ２１側から湯道２０側に向けて下降傾斜する傾斜面２８が形成され、ゲート可変部材２７のキャビティ１９に対向する面は型面１７の一部を構成している。
【００２３】
次に、第１の実施の形態におけるダイカスト鋳造方法について説明する。
【００２４】
図２に示すように、可動型１３を固定型１２に型閉じし、ゲート可変部材２７を下方の下降位置に下降させ、プランジャチップ２４を注湯待機位置に移動させた状態において、ラドル２９によって所定量の溶湯２２を注湯口２３からスリーブ２１内に注湯する。このとき、溶湯２２の注湯速度を制御し、スリーブ２１内の溶湯２２が波立たないようにすることで、溶湯２２内への空気の巻き込みを抑制できる。
【００２５】
図３に示すように、プランジャチップ２４を湯道２０へ向けて移動させ、スリーブ２１内の溶湯２２に圧力を加える。このとき、溶湯２２は湯道２０へ押し出されるが、この湯道２０の流路によって溶湯２２がスリーブ２１内に充填される。
【００２６】
スリーブ２１内には、スリーブ２１内に残る空気や、プランジャチップ２４の摺動を許容するためにスリーブ２１内に塗布される潤滑剤が溶湯２２との接触で蒸発あるいは燃焼したガスなどの気体３０がある。この気体３０は、ゲート可変部材２７によってスリーブ２１内に留められるため、スリーブ２１内の上部に溜まり、スリーブ２１内での溶湯２２の充填によって圧縮される。
【００２７】
そして、スリーブ２１内の溶湯２２は、ゲート可変部材２７の下側、つまり溶湯２２の溶湯面２２ａの高さより低い位置から湯道２０に押し出され、この湯道２０を通じてキャビティ１９に押し出される。スリーブ２１内の上部にある気体３０は、ゲート可変部材２７によってスリーブ２１内に確実に留められ、湯道２０へは流入しない。
【００２８】
図４に示すように、キャビティ１９内の空気はキャビティ１９の上部に連通するガス抜き孔を通じて抜け、キャビティ１９内に溶湯２２が充填される。
【００２９】
そして、溶湯２２が凝固完了した後、ゲート可変部材２７を上方の退避位置に上昇移動させ、可動型１３を型開きし、ダイカスト製品３１を取り出す。
【００３０】
図５に示すように、ダイカスト製品３１には、湯道部分３２、スリーブ部分３３、図示しないガス抜き部分などが一体に形成されており、これらが後工程において取り除かれる。
【００３１】
このように、スリーブ２１に溶湯２２を注湯し、このスリーブ２１内の溶湯２２を、スリーブ２１内での溶湯２２の溶湯面２２ａの高さより低い位置に連通する湯道２０を通じてキャビティ１９に押し出すことにより、スリーブ２１内の気体３０をスリーブ２１内に留めてキャビティ１９へ流入するのを抑制できる。そのため、ダイカスト製品３１への気体３０の巻き込みを防止でき、ダイカスト製品３１の品質を向上させることができる。
【００３２】
しかも、スリーブ２１と湯道２０との間の上部に進退可能に配置されたゲート可変部材２７によってスリーブ２１内での溶湯２２の溶湯面２２ａの高さより低い位置に湯道２０を連通させることにより、簡単な構成でスリーブ２１内の気体３０をスリーブ２１内に留めてキャビティ１９へ流入するのを抑制できるとともに、ゲート可変部材２７を退避させてダイカスト製品３１を取り出すことができる。
【００３３】
次に、第２の実施の形態を図６ないし図９を参照して説明する。
【００３４】
図６ないし図８に示すように、可動型１３の型面１８から固定型１２のスリーブ２１に対向して規制手段２６としての分流子４１が突設されている。この分流子４１は、型閉じ時にスリーブ２１内に嵌合されて分流子４１の下部にのみスリーブ２１と湯道２０とを連通する連通部４２を形成するもので、分流子４１の端面には連通部４２へ向けて傾斜する傾斜面４３が形成されている。
【００３５】
分流子４１の周囲に湯道２０が環状に形成され、この湯道２０の下部がスリーブ２１内での溶湯２２の溶湯面２２ａの高さより低い分流子４１の下部側を通じてスリーブ２１に連通され、分流子４１の上部がキャビティ１９に連通されている。
【００３６】
そして、第２の実施の形態におけるダイカスト鋳造方法について説明する。
【００３７】
可動型１３を固定型１２に型閉じし、プランジャチップ２４を注湯待機位置に移動させた状態において、ラドル２９によって所定量の溶湯２２を注湯口２３からスリーブ２１内に注湯し、プランジャチップ２４を湯道２０へ向けて移動させ、スリーブ２１内の溶湯２２に圧力を加える。このとき、溶湯２２は湯道２０へ押し出されるが、この湯道２０の流路抵抗によって溶湯２２がスリーブ２１内に充填される。
【００３８】
スリーブ２１内には、スリーブ２１内に残る空気や、プランジャチップ２４の摺動を許容するためにスリーブ２１内に塗布される潤滑剤が溶湯２２との接触で蒸発あるいは燃焼したガスなどの気体３０がある。この気体３０は、分流子４１によってスリーブ２１内に留められるため、スリーブ２１内の上部に溜まり、スリーブ２１内での溶湯２２の充填によって圧縮される。
【００３９】
スリーブ２１内の溶湯２２は、分流子４１の下側、つまり溶湯２２の溶湯面２２ａの高さより低い位置から湯道２０に押し出され、この湯道２０を通じてキャビティ１９に押し出される。このとき、湯道２０は分流子４１の周囲に環状に形成されているので、溶湯２２が分流子４１の両側に回り込んで二手に別れて流れ、つまり湯道２０が２本あるのと同等であり、キャビティ１９への溶湯２２の押し出しを短時間でできる。
【００４０】
スリーブ２１内の上部にある気体３０は、分流子４１によってスリーブ２１内に確実に留められ、湯道２０へは流入しない。
【００４１】
キャビティ１９内の空気はキャビティ１９の上部に連通するガス抜き孔を通じて抜け、キャビティ１９内に溶湯２２が充填される。
【００４２】
そして、溶湯２２が凝固完了した後、可動型１３を型開きし、ダイカスト製品３１を取り出す。
【００４３】
図９に示すように、ダイカスト製品３１には、環状の湯道部分３２、スリーブ部分３３、図示しないガス抜き部分などが一体に形成されており、これらが後工程において取り除かれる。
【００４４】
このように、スリーブ２１に溶湯２２を注湯し、このスリーブ２１内の溶湯２２を、スリーブ２１内での溶湯２２の溶湯面２２ａの高さより低い位置に連通する湯道２０を通じてキャビティ１９に押し出すことにより、スリーブ２１内の気体３０をスリーブ２１内に留めてキャビティ１９へ流入するのを抑制できる。そのため、ダイカスト製品３１への気体３０の巻き込みを防止でき、ダイカスト製品３１の品質を向上させることができる。
【００４５】
しかも、スリーブ２１を設けた固定型１２とスリーブ２１に対向する分流子４１を突設した可動型１３との間で分流子４１の周囲に環状の湯道２０を形成し、スリーブ２１内の溶湯２２を、スリーブ２１内での溶湯２２の溶湯面２２ａの高さより低い分流子４１の下部側から環状の湯道２０を通じてキャビティ１９に押し出すことにより、スリーブ２１からキャビティ１９への溶湯２２の押出時間を短縮して溶湯２２の温度低下を抑制できるとともに、溶湯２２で分流子４１を周囲から加熱して溶湯２２の温度低下を抑制でき、さらに、分流子４１を退避移動させることなく、可動型１３を型開きすることで分流子４１をダイカスト製品３１から外し、ダイカスト製品３１を取り出すことができる。
【００４６】
なお、スリーブ２１と湯道２０とをプランジャチップ２４で押し出すスリーブ２１内の溶湯２２の溶湯面２２ａの高さより低い位置で連通させる規制手段２６としては、スリーブ２１が水平に配置される場合にはゲート可変部材２７や分流子４１が有効であるが、例えば、固定型１２に配置されるスリーブ２１の一端側に対してスリーブ２１の他端側を上昇傾斜させたり、あるいはスリーブ２１を鉛直方向に設けて下部を固定型１２に接続するようにしても、スリーブ２１内の気体３０をスリーブ２１内に留めてキャビティ１９へ流入するのを抑制できる。
【００４７】
また、湯道２０は、１本に限らず、２本以上としてもよく、スリーブ２１からキャビティ１９への溶湯２２の押出時間を短縮して溶湯２２の温度低下を抑制できる。
【００４８】
【発明の効果】
請求項１記載の鋳造方法によれば、スリーブに溶湯を注湯し、このスリーブ内の溶湯を、スリーブ内での溶湯の溶湯面高さより低い位置に連通する湯道を通じてキャビティに押し出すことにより、スリーブ内の気体をスリーブ内に留めてキャビティへ流入するのを抑制でき、鋳造品への気体の巻き込みを防止し、鋳造品の品質を向上させることができる。
【００４９】
請求項２記載の鋳造方法によれば、請求項１記載の鋳造方法の効果に加えて、スリーブと湯道との間の上部に対して進退可能に配置されたゲート可変部材によってスリーブ内での溶湯の溶湯面高さより低い位置に湯道を連通させることにより、簡単な構成でスリーブ内の気体をスリーブ内に留めてキャビティへ流入するのを抑制できるとともに、ゲート可変部材を退避させて鋳造品を取り出すことができる。
【００５０】
請求項３記載の鋳造方法によれば、請求項１記載の鋳造方法の効果に加えて、スリーブを設けた固定型とスリーブに対向する分流子を突設した可動型との間で分流子の周囲に環状の湯道を形成し、スリーブ内の溶湯を、スリーブ内での溶湯の溶湯面高さより低い分流子の下部側から環状の湯道を通じてキャビティに押し出すことにより、スリーブからキャビティへの溶湯の押出時間を短縮して溶湯の温度低下を抑制できるとともに、溶湯で分流子を周囲から加熱して溶湯の温度低下を抑制でき、さらに、分流子を退避移動させることなく、可動型を型開きすることで分流子を鋳造品から外し、鋳造品を取り出すことができる。
【００５１】
請求項４記載の鋳造装置によれば、スリーブに溶湯を注湯し、このスリーブ内の溶湯を、スリーブ内での溶湯の溶湯面高さより低い位置に連通する湯道を通じてキャビティに押し出すことにより、スリーブ内の気体をスリーブ内に留めてキャビティへ流入するのを抑制でき、鋳造品への気体の巻き込みを防止し、鋳造品の品質を向上させることができる。
【００５２】
請求項５記載の鋳造装置によれば、請求項４記載の鋳造装置の効果に加えて、スリーブと湯道との間の上部に対して進退可能に配置されたゲート可変部材によってスリーブ内での溶湯の溶湯面高さより低い位置に湯道を連通させることにより、簡単な構成でスリーブ内の気体をスリーブ内に留めてキャビティへ流入するのを抑制できるとともに、ゲート可変部材を退避させて鋳造品を取り出すことができる。
【００５３】
請求項６記載の鋳造装置によれば、請求項４記載の鋳造装置の効果に加えて、スリーブを設けた固定型とスリーブに対向する分流子を突設した可動型との間で分流子の周囲に環状の湯道を形成し、スリーブ内の溶湯を、スリーブ内での溶湯の溶湯面高さより低い分流子の下部側から環状の湯道を通じてキャビティに押し出すことにより、スリーブからキャビティへの溶湯の押出時間を短縮して溶湯の温度低下を抑制できるとともに、溶湯で分流子を周囲から加熱して溶湯の温度低下を抑制でき、さらに、分流子を退避移動させることなく、可動型を型開きすることで分流子を鋳造品から外し、鋳造品を取り出すことができる。
【図面の簡単な説明】
【図１】本発明の第１の実施の形態を示す鋳造装置のキャビティに溶湯を充填した状態の断面図である。
【図２】同上鋳造装置のスリーブに溶湯を注湯した状態の断面図である。
【図３】同上鋳造装置のスリーブに注湯した溶湯の押し出し状態の断面図である。
【図４】同上鋳造装置の型開き状態の断面図である。
【図５】同上鋳造装置で鋳造された鋳造品を示し、（ａ）は正面図、（ｂ）は側面図である。
【図６】第２の実施の形態を示す鋳造装置のキャビティに溶湯を充填した状態の断面図である。
【図７】同上鋳造装置の型開き状態の断面図である。
【図８】同上鋳造装置の可動型の斜視図である。
【図９】同上鋳造装置で鋳造された鋳造品を示し、（ａ）は正面図、（ｂ）は側面図である。
【符号の説明】
１１    鋳造装置
１２    固定型
１３    可動型
１４    金型としてのダイカスト金型
１９    キャビティ
２０    湯道
２１    スリーブ
２２    溶湯
２２ａ    溶湯面
２４    押出手段としてのプランジャチップ
２６    規制手段
２７    ゲート可変部材
４１    分流子
【図１】
2004148349.tif 000003
【図２】
2004148349.tif 000004
【図３】
2004148349.tif 000005
【図４】
2004148349.tif 000006
【図５】
2004148349.tif 000007
【図６】
2004148349.tif 000008
【図７】
2004148349.tif 000009
【図８】
2004148349.tif 000010
【図９】
2004148349.tif 000011